(57)【特許請求の範囲】
【請求項１】
光源と、
透光性樹脂板を素材として前記光源の前面に所定の間隔を設けて対向する第１面及び前記光源の上面に対向する第２面を備えた断面がＬ字状のカバーと、
前記光源と前記第２面との間に配置される不燃部材と、を備え、
前記不燃部材は遮光性板材である照明装置。
【請求項２】
光源と、
透光性樹脂板を素材として前記光源の前面に所定の間隔を設けて対向する第１面及び前記光源の上面に対向する第２面を備えた断面がＬ字状のカバーと、
前記光源と前記第２面との間に配置される不燃部材と、を備え、
前記不燃部材はガラス板である照明装置。
【発明の詳細な説明】
【技術分野】
【０００１】
この発明は、壁面に取り付けられる非常灯や誘導灯等の照明装置であって、光源の光を外部の最大３方向に配光する照明装置に関する。
【背景技術】
【０００２】
非常灯／誘導灯等の照明装置は、非常用光源として例えば直管形ランプを備え、光源の光を少なくとも外部の前方に配光するように構成されており、さらに外部の上方又は／及び下方に配光するものもある（例えば、特許文献１参照。）。
【０００３】
非常灯では非常用光源の周囲の５０ｍｍ以内の範囲における可燃材の使用が禁止されている。このため、全体を小型に構成したうえで光源の光を外部の前方及び下方だけでなく上方にも配光する場合には、光源を被覆するカバーの上面に透光性を有するガラスを保持するための枠部を形成する必要がある。一方、光源の光を外部の前方及び下方のみに配光する場合には、カバーの上面は全面を遮光性の金属等で構成することができる。
【先行技術文献】
【特許文献】
【０００４】
【特許文献１】特開平１０−２８９６１３号公報
【発明の概要】
【発明が解決しようとする課題】
【０００５】
このように、従来の照明装置では、光源の光を上方に配光するか否かに応じて、光源を被覆するカバーの上面の形状が異なり、外観の異なる２種類のデザインを準備する必要があるため、製造コストが高騰する。また、上方への配光状態の異なる２種類の照明装置を併用する場所にデザイン上の統一感を与えることができない。
【０００６】
この発明の目的は、単一の外観で光源の光を上方に配光する場合と上方に配光しない場合との両方に対応することができ、製造コストの低廉化を実現できるとともに、上方への配光状態の異なる２種類の照明装置を併用する場所にデザイン上の統一感を与えることができる照明装置を提供することにある。
【課題を解決するための手段】
【０００７】
この発明の照明器具は、光源、カバー、第１及び第２の不燃部材を備える。カバーは、透光性樹脂板を素材として光源の前面に所定の間隔を設けて対向する第１面及び光源の上面に対向する第２面を備えている。第１の不燃部材は、遮光性板材である。第２の不燃部材は、ガラス板である。第１及び第２の不燃部材は、光源とカバーの第２面との間に択一的に配置される。
【０００８】
上方に光源の光を配光するか否かに関わらず、装置の外観における前面及び上面がカバーによって構成される。外観を構成するカバーの内部に光源が位置し、光源の光はカバーの第１面を介して外部の前方に配光される。第１の不燃部材を用いた場合、光源の上方への光は第１の不燃部材に遮光されてカバーの第２面から外部に配光されない。第２の不燃部材を用いた場合、光源の上方への光は第２の不燃部材及びカバーの第２面を介して外部の上方に配光される。この構成を非常灯に使用する場合、カバーの第１面と光源との間の所定の間隔を非常灯技術基準ＪＩＬ５５０１に定められた間隔とする必要はあるが、カバーの第２面と光源との間には第１又は第２の不燃部材が位置するため両者の間隔は制限されない。
【０００９】
この構成において、第１及び第２の不燃部材は、カバーの第２面に接合されることが好ましい。上下方向の大きさを最小にできる。
【００１０】
また、光源及びカバーの側面を被覆する側板を設け、側板を介してカバーと第１又は第２の不燃部材とを固定することが好ましい。構造を簡略化できる。
【発明の効果】
【００１１】
この発明によれば、単一の外観デザインで光源の光を上方に配光する場合と上方に配光しない場合との両方に対応することができ、製造コストの低廉化を実現できるとともに、上方への配光状態の異なる２種類の照明装置を併用する場所にデザイン上の統一感を与えることができる。
【図面の簡単な説明】
【００１２】
【図１】本発明の実施形態に係る照明装置の組立図である。
【図２】同照明装置のカバー３の組立図である。
【図３】（Ａ）及び（Ｂ）は、同照明装置の側面断面図である。
【発明を実施するための形態】
【００１３】
以下に、この発明の実施形態に係る照明装置について、図面を参照しつつ説明する。
【００１４】
図１に示すように、本発明の実施形態に係る照明装置１０は、非常用光源１、本体２、カバー３、側板４、センサ５を備え、非常灯として使用される。
【００１５】
非常用光源１は、一例として直管形ランプであり、長手方向を水平にして本体２の前面側に保持されている。非常用光源１は、必ずしも直管形ランプである必要はなく、例えば長尺状のＬＥＤランプ、又は複数の球状ランプで構成することもできる。本体２は、一例として金属製板材をプレス加工によって非常用光源１よりも長い帯状体に成形されており、両側端にネジ孔２１Ａが形成された取付部２１を備えている。本体２は、前面にリフレクタ２２を備え、リフレクタ２２との間に図示しない回路部品を備えている。
【００１６】
センサ５は、電波の放出等によって人体の近接を感知して検出信号を出力する。照明装置１０は、センサ５から検出信号が出力された時に、非常用光源１を駆動する。センサ５は、本体２の下端部の中央部から前方に延出した取付具５１の先端に固定されている。
【００１７】
カバー３は、単一の透光性樹脂板を素材として、本体２に匹敵する長さにわたって一様のＬ字状断面に形成されている。カバー３は、単一の透光性樹脂板を折り曲げて構成されているが、複数枚の透光性樹脂板を接合して構成することもできる。カバー３は、一例として垂直面である第１面３１及び一例として水平面である第２面３２を備えている。第１面の下端部の中央部には、切欠き３３が形成されている。
【００１８】
側板４は、一例として金属製板材のプレス加工によってカバー３の側端部を外側から被覆する３面の筐体形状に成形されている。側板４には、取付部２１のネジ孔２１Ａに対向する位置に、貫通孔４１が形成されている。
【００１９】
非常用光源１を本体２に保持させ、且つカバー３の両端部に側板４を取り付けた状態で、カバー３を上方から本体２に被せると、カバー３の第１面３１が非常用光源１の前面側に対向し、カバー３の第２面３２が非常用光源１の上面側に対向する。また、センサ５が、カバー３の切欠き３３に嵌入する。
【００２０】
カバー３を透光性樹脂板によって構成することで照明装置１０の前面の任意の位置にセンサ５を配置するための任意の形状の切欠きを形成でき、ガラス板を用いる場合のように側板４にセンサを配置する必要がない。なお、センサ５は省略することもでき、この場合にはカバー３に切欠きを形成する必要はない。
【００２１】
カバー３による本体２の被覆状態は、側板４の貫通孔４１を貫通する固定ネジ７を本体２のネジ孔２１Ａに螺合させることで維持される。これによって、照明装置１０の外観における前面側及び上面側が、カバー３によって一体的に構成される。照明装置１０の底面は、開放している。
【００２２】
なお、カバー３において、第１面３１及び第２面３２は、それぞれ非常用光源１の前面側及び上面側に対向することを条件に、必ずしも直交している必要はなく、何れも平面に限るものでもない。
【００２３】
図２に示すように、カバー３の第２面３２には、両端部にネジ孔３２Ａが形成されている。不燃部材６は、カバー３の第２面３２と同一形状に形成されており、両端部にネジ孔６１Ａが形成されている。カバー３は、第２面３２の内側面に不燃部材６を接合させた後、両端部に側板４が貫通孔４２を介してネジ孔３２Ａ及びネジ孔６１Ａを介してネジ止めされる。不燃部材６は、カバー３及び不燃部材６は、側板４に一体的に固定される。不燃部材６は、第２面３２との間に間隙を設けて配置することもできるが、第２面３２の内側面に接合させることで、照明装置１０の高さを最小することができ、構造を最も簡略化できる。
【００２４】
なお、カバー３に対する側板４及び不燃部材６の固定は、ネジ止めに限るものではない。また、不燃部材６は、カバー３の内側面に接着剤等を介して貼着することもできる。
【００２５】
図３（Ａ）及び（Ｂ）に示すように、カバー３を本体２に被せた状態で、第１面３１の内側面と非常用光源１との間に所定の間隔Ｄ１が形成される。間隔Ｄ１は、非常灯技術基準ＪＩＬ５５０１に定められた５０ｍｍである。一方、第２面３２と非常用光源１との間には不燃部材６が配置される。このため、第２面３２の内側面と非常用光源１との間隔Ｄ２を５０ｍｍ未満として照明装置１０の全高を小さくしても、非常灯技術基準を満たすことができる。
【００２６】
不燃部材６は、この発明の第１の不燃部材である遮光性板材６Ａ又は同第２の不燃部材であるガラス板６Ｂの何れかが択一的に用いられる。
【００２７】
図３（Ａ）に示すように、遮光性板材６Ａを用いた場合、非常用光源１の光は、照明装置１０の下方、及びカバー３の第１面３１を経由して照明装置１０の前方に配光される。遮光性板材６Ａは、例えば金属板である。
【００２８】
図３（Ｂ）に示すように、ガラス板６Ｂを用いた場合、非常用光源１の光は、照明装置１０の下方及び前方に加えて、ガラス板６Ｂ及び第２面３２を経由して照明装置１０の上方にも配光される。
【００２９】
遮光性板材６Ａ及びガラス板６Ｂは、何れもカバー３の第２面３２の内側に配置されるため、照明装置１０の外観に影響を与えることがない。また、照明装置１０の上方に非常用光源１の光を配光する場合でも、外側面を構成する部材の上面にガラス板６Ｂを露出して備えるための枠体等の構成を備える必要がない。
【００３０】
したがって、照明装置１０は、上方に非常用光源１の光を配光するか否かに関わらず、単一の透光性樹脂板によって外観の上面及び前面を構成できるため、製造コストを低廉化できる。また、上方に非常用光源１の光を配光する照明装置１０と上方に非常用光源１の光を配光しない照明装置１０を同一場所に設置した場合でも、デザイン上の統一感を損なうことがない。
【符号の説明】
【００３１】
１−非常用光源
２−本体
３−カバー
４−側板
６−不燃部材
６Ａ−遮光性板材（第１の不燃部材）
６Ｂ−ガラス板（第２の不燃部材）
１０−照明装置
【図１】
0006283894.tif 000002
【図２】
0006283894.tif 000003
【図３】
0006283894.tif 000004